【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
ワイヤレス通信ネットワークを介して通信する方法であって、
第１の仕様に従ってメッセージの送信のための総帯域幅を決定することと、前記総帯域幅が複数のトーンを備える、ここにおいて、前記総帯域幅の一部が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンと、複数のガードトーンと、複数の直流トーンとの間で論理的に分割することと、
前記複数の使用可能なトーンを複数のリソースユニットと、センターブロック、左センターブロック、および右センターブロックのうちの１つまたは複数との間で論理的に分割することと、ここにおいて、前記センターブロック、前記左センターブロック、および前記右センターブロックのうちの前記１つまたは複数のうちの少なくとも１つに割り振られた前記複数の使用可能なトーンからのトーンは、前記少なくとも１つの物理的境界の両側に位置する、
表示を決定することと、前記表示が、前記複数のリソースユニットのうちの少なくとも２つを複数のワイヤレス通信デバイスのうちの１つのワイヤレス通信デバイスに割り当て、チャネルボンディングし、前記センターブロック、前記左センターブロック、および前記右センターブロックのうちの１つの少なくとも一部を前記複数のワイヤレス通信デバイスのうちの別のワイヤレス通信デバイスに割り当て、チャネルボンディングする、ここにおいて、前記表示が、前記第２の仕様に従って前記送信によって占有される前記総帯域幅の前記一部を割り当てない、
前記複数のワイヤレス通信デバイスに前記表示を送信することとを備える、方法。
【請求項２】
前記第１の仕様が電気電子技術者協会（ＩＥＥＥ）８０２．１１ａｘ仕様を備え、前記第２の仕様が異なるＩＥＥＥ８０２．１１仕様を備える、請求項１に記載の方法。
【請求項３】
前記複数のトーンを前記論理的に分割することが、物理的２０ＭＨｚおよび／または４０ＭＨｚ境界を維持するのに十分なガードトーンを割り当てることを備える、請求項１に記載の方法。
【請求項４】
前記複数のトーンを前記論理的に分割することが、２０ＭＨｚおよび／または４０ＭＨｚ境界において１１個の直流トーンまたはガードトーンを割り当てることを備える、請求項１に記載の方法。
【請求項５】
前記複数の使用可能なトーンを前記論理的に分割することが、物理的２０ＭＨｚおよび／または４０ＭＨｚ境界を維持するリソースユニットを割り当てることを備える、請求項１に記載の方法。
【請求項６】
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、請求項１に記載の方法。
【請求項７】
前記センターブロック、前記左センターブロック、および前記右センターブロックのうちの１つまたは複数からの前記トーンがチャネル制御のために使用される、請求項１に記載の方法。
【請求項８】
ワイヤレス通信のための装置であって、
第１の仕様に従ってメッセージの送信のための総帯域幅を決定することと、前記総帯域幅が複数のトーンを備える、ここにおいて、前記総帯域幅の一部が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンと、複数のガードトーンと、複数の直流トーンとの間で論理的に分割することと、
前記複数の使用可能なトーンを複数のリソースユニットと、センターブロック、左センターブロック、および右センターブロックのうちの１つまたは複数との間で論理的に分割することと、ここにおいて、前記センターブロック、前記左センターブロック、および前記右センターブロックのうちの前記１つまたは複数のうちの少なくとも１つに割り振られた前記複数の使用可能なトーンからのトーンは、前記少なくとも１つの物理的境界の両側に位置する、
表示を決定することと、前記表示が、前記複数のリソースユニットのうちの少なくとも２つを複数のワイヤレス通信デバイスのうちの１つのワイヤレス通信デバイスに割り当て、チャネルボンディングし、前記センターブロック、前記左センターブロック、および前記右センターブロックのうちの１つの少なくとも一部を前記複数のワイヤレス通信デバイスのうちの別のワイヤレス通信デバイスに割り当て、チャネルボンディングする、ここにおいて、前記表示が、前記第２の仕様に従って前記送信によって占有される前記総帯域幅の前記一部を割り当てない
を行うように構成された処理システムと、
前記複数のワイヤレス通信デバイスに前記表示を送信するように構成された送信機とを備える、装置。
【請求項９】
前記第１の仕様が米国電気電子技術者協会（ＩＥＥＥ）８０２．１１ａｘ仕様を備え、前記第２の仕様が異なるＩＥＥＥ８０２．１１仕様を備える、請求項８に記載の装置。
【請求項１０】
前記処理システムが、物理的２０ＭＨｚおよび／または４０ＭＨｚ境界を維持するのに十分なガードトーンを割り当てることによって、前記複数のトーンを論理的に分割するように構成される、請求項８に記載の装置。
【請求項１１】
前記処理システムが、２０ＭＨｚおよび／または４０ＭＨｚ境界において１１個の直流トーンまたはガードトーンを割り当てることによって、前記複数のトーンを論理的に分割するように構成される、請求項８に記載の装置。
【請求項１２】
前記処理システムが、物理的２０ＭＨｚおよび／または４０ＭＨｚ境界を維持するリソースユニットを割り当てることによって、前記複数の使用可能なトーンを論理的に分割するように構成される、請求項８に記載の装置。
【請求項１３】
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、請求項８に記載の装置。
【請求項１４】
前記センターブロック、前記左センターブロック、および前記右センターブロックのうちの１つまたは複数からの前記トーンがチャネル制御のために使用される、請求項８に記載の装置。
【請求項１５】
ワイヤレス通信のための装置であって、
第１の仕様に従ってメッセージの送信のための総帯域幅を決定するための手段と、前記総帯域幅が複数のトーンを備える、ここにおいて、前記総帯域幅の一部が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンと、複数のガードトーンと、複数の直流トーンとの間で論理的に分割するための手段と、
前記複数の使用可能なトーンを複数のリソースユニットと、センターブロック、左センターブロック、および右センターブロックのうちの１つまたは複数との間で論理的に分割するための手段と、ここにおいて、前記センターブロック、前記左センターブロック、および前記右センターブロックのうちの前記１つまたは複数のうちの少なくとも１つに割り振られた前記複数の使用可能なトーンからのトーンは、前記少なくとも１つの物理的境界の両側に位置する、
表示を決定するための手段と、前記表示が、前記複数のリソースユニットのうちの少なくとも２つを複数のワイヤレス通信デバイスのうちの１つのワイヤレス通信デバイスに割り当て、チャネルボンディングし、前記センターブロック、前記左センターブロック、および前記右センターブロックのうちの１つの少なくとも一部を前記複数のワイヤレス通信デバイスのうちの別のワイヤレス通信デバイスに割り当て、チャネルボンディングする、ここにおいて、前記表示が、前記第２の仕様に従って前記送信によって占有される前記総帯域幅の前記一部を割り当てない、
前記複数のワイヤレス通信デバイスに前記表示を送信するための手段とを備える、装置。
【請求項１６】
前記第１の仕様が米国電気電子技術者協会（ＩＥＥＥ）８０２．１１ａｘ仕様を備え、前記第２の仕様が異なるＩＥＥＥ８０２．１１仕様を備える、請求項１５に記載の装置。
【請求項１７】
前記複数のトーンを論理的に分割するための手段が、物理的２０ＭＨｚおよび／または４０ＭＨｚ境界を維持するのに十分なガードトーンを割り当てるための手段を備える、請求項１５に記載の装置。
【請求項１８】
前記複数のトーンを論理的に分割するための手段が、２０ＭＨｚおよび／または４０ＭＨｚ境界において１１個の直流トーンまたはガードトーンを割り当てるための手段を備える、請求項１５に記載の装置。
【請求項１９】
前記複数の使用可能なトーンを論理的に分割するための手段が、物理的２０ＭＨｚおよび／または４０ＭＨｚ境界を維持するリソースユニットを割り当てるための手段を備える、請求項１５に記載の装置。
【請求項２０】
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、請求項１５に記載の装置。
【請求項２１】
前記センターブロック、前記左センターブロック、および前記右センターブロックのうちの１つまたは複数からの前記トーンがチャネル制御のために使用される、請求項１５に記載の装置。
【請求項２２】
実行されると、装置に、
第１の仕様に従ってメッセージの送信のための総帯域幅を決定することと、前記総帯域幅が複数のトーンを備える、ここにおいて、前記総帯域幅の一部が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンと、複数のガードトーンと、複数の直流トーンとの間で論理的に分割することと、
前記複数の使用可能なトーンを複数のリソースユニットと、センターブロック、左センターブロック、および右センターブロックのうちの１つまたは複数との間で論理的に分割することと、ここにおいて、前記センターブロック、前記左センターブロック、および前記右センターブロックのうちの前記１つまたは複数のうちの少なくとも１つに割り振られた前記複数の使用可能なトーンからのトーンは、前記少なくとも１つの物理的境界の両側に位置する、
表示を決定することと、前記表示が、前記複数のリソースユニットのうちの少なくとも２つを複数のワイヤレス通信デバイスのうちの１つのワイヤレス通信デバイスに割り当て、チャネルボンディングし、前記センターブロック、前記左センターブロック、および前記右センターブロックのうちの１つの少なくとも一部を前記複数のワイヤレス通信デバイスのうちの別のワイヤレス通信デバイスに割り当て、チャネルボンディングする、ここにおいて、前記表示が、前記第２の仕様に従って前記送信によって占有される前記総帯域幅の前記一部を割り当てない、
前記複数のワイヤレス通信デバイスに前記表示を送信することとを行わせるコードを備えた、非一時的コンピュータ可読媒体。
【請求項２３】
前記第１の仕様が米国電気電子技術者協会（ＩＥＥＥ）８０２．１１ａｘ仕様を備え、前記第２の仕様が異なるＩＥＥＥ８０２．１１仕様を備える、請求項２２に記載の媒体。
【請求項２４】
前記複数のトーンを前記論理的に分割することが、物理的２０ＭＨｚおよび／または４０ＭＨｚ境界を維持するのに十分なガードトーンを割り当てることを備える、請求項２２に記載の媒体。
【請求項２５】
前記複数のトーンを前記論理的に分割することが、２０ＭＨｚおよび／または４０ＭＨｚ境界において１１個の直流トーンまたはガードトーンを割り当てることを備える、請求項２２に記載の媒体。
【請求項２６】
前記複数の使用可能なトーンを前記論理的に分割することが、物理的２０ＭＨｚおよび／または４０ＭＨｚ境界を維持するリソースユニットを割り当てることを備える、請求項２２に記載の媒体。
【請求項２７】
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、請求項２２に記載の媒体。
【請求項２８】
前記センターブロック、前記左センターブロック、および前記右センターブロックのうちの１つまたは複数からの前記トーンがチャネル制御のために使用される、請求項２２に記載の媒体。